(57)【特許請求の範囲】
【請求項１】
上側端部に設けられて上流側に隣接する瓦の下に差し入れられる尻部と、下側端部に設けられて下流側に隣接する瓦の尻部の上に重ねられる頭部とを備える屋根瓦であって、
前記尻部の上に前記頭部が重ねられたとき該頭部の瓦の厚み方向の離反を阻止するために前記屋根瓦の頭部の裏面側に設けられ、左右方向において係合するための第１係合部と、
前記尻部の上に前記頭部が重ねられたときに該頭部の裏面側に設けられた第１係合部と左右方向において係合するように前記尻部に設けられた第２係合面を有し、且つ該左右方向の断面においてＬ字形状に形成されているのに加えて、上下方向の断面においてもＬ字形状に形成された第２係合部と
を、含むことを特徴とする高耐風性を有する屋根瓦。
【請求項２】
前記頭部の裏面側に設けられた第１係合部は、前記屋根瓦の裏面から厚み方向に突き出しかつ所定位置から襟部側へＬ字形状に曲げられて形成され、該Ｌ字形状の内側に第１係合面を備えたものであり、
前記尻部の表面に設けられた第２係合部は、該襟部側とは反対側へＬ字形状に曲げられて形成され、他の瓦の第１係合面に対して所定間隔を隔て対向するように該Ｌ字形状の内側に第２係合面を備えたものである請求項１の高耐風性を有する屋根瓦。
【請求項３】
前記第１係合部は、前記頭部の裏面側において左右方向の中央部から突設されたものであり、前記第２係合部は前記尻部の桟部側端縁に突設されたものである請求項１または２の高耐風性を有する屋根瓦。
【請求項４】
前記頭部の裏面側に設けられた第１係合突起と前記尻部の表面に設けられた第２係合突起とは、それらの第１係合面と第２係合面とが互いに対向させられた状態で係合状態とされるものである請求項２または３の高耐風性を有する屋根瓦。
【発明の詳細な説明】
【０００１】
【発明の属する技術分野】
本発明は、高耐風性を有する屋根瓦に関するものである。
【０００２】
【従来の技術】
住宅等の建築構造物に用いられる屋根瓦を傾斜した野地板に取り付けるに際しては、たとえば野地板に水平方向の複数本の桟或いは横木を互いに平行に設けるとともに、屋根瓦の尻部裏面に突設した掛止突起をその桟或いは横木に引っ掛けることにより位置決めした状態でその尻部を釘を用いて桟或いは横木や野地板に固定する乾式工法が行われている。しかしながら、そのような乾式工法で固定された屋根瓦であってもその耐風性能は未だ十分でなく、大型台風や強風により瓦がめくれるという被害を受けることを十分に防止することができていないのが実情である。
【０００３】
【発明が解決しようとする課題】
これに対し、たとえば横方向において半ピッチずらして配列する所謂千鳥葺きされる平判瓦において、その一方の側縁部であって横方向に隣接する他の平判瓦の下に差し入れられる襟部の頭部（傾斜の下流側縁部）側に設けられた局部的に厚みの薄い被掛止部を掛け止めるためのツメまたは釘を、その平判瓦の頭部の下に差し入れられる他の平判瓦の尻部（傾斜の上流側縁部）の中央に上記襟部の厚みと同様の高さとなるように突設し、そのツメによって上記尻部の上に重ねられる平判瓦のめくれを防止することにより耐風性能を高めたものが提案されている。しかしながら、このような平判瓦は、その尻部を止める釘とその襟部の頭部側に設けられた被掛止部を掛け止めるためのツメとにより固定されることから、襟部と頭部との間の角からのめくれに関する耐風性能は確かに高められるけれども、横方向に隣接する他の平判瓦の襟部の上に重ねられる桟部と上記頭部との間の角からのめくれに対してそれほどの耐風性能が得られないという不都合があった。屋根上の平判瓦の耐風性能は、種々の方向の風に対してもそれぞれ高められる必要があるからである。
【０００４】
本発明は以上の事情を背景として為されたものであり、その目的とするところは、十分な耐風性能を有する屋根瓦を提供することにある。
【０００５】
【課題を解決するための手段】
かかる目的を達成するために、本発明の要旨とするところは、上側端部に設けられて上流側に隣接する瓦の下に差し入れられる尻部と、下側端部に設けられて下流側に隣接する瓦の尻部の上に重ねられる頭部とを備える屋根瓦であって、(a) 前記尻部の上に前記頭部が重ねられたとき該頭部の瓦の厚み方向の離反を阻止するために前記屋根瓦の頭部の裏面側に設けられ、左右方向において係合するための第１係合部と、(b) 前記尻部の上に前記頭部が重ねられたときに該頭部の裏面側に設けられた第１係合部と左右方向において係合するように前記尻部に設けられた第２係合面を有し、且つ該左右方向の断面においてＬ字形状に形成されているのに加えて、上下方向の断面においてもＬ字形状に形成された第２係合部とを、含むことにある。
【０００６】
【発明の効果】
このようにすれば、傾斜した野地板上において、下流側に配置された屋根瓦の尻部に設けられた第２係合部に、屋根瓦の裏面であってその頭部に対応する位置に設けられた第１係合部が左右方向において係合するようにその屋根瓦の上流側に隣接する屋根瓦が配置されることから、その上流側に隣接する屋根瓦は、その尻部を野地板に止めるたとえば２本の釘と上記屋根瓦の裏面であってその頭部に対応する位置に設けられた第１係合部とによって固定されるので、屋根瓦の頭部と桟部との間の角からのめくれに関する耐風性能が大幅に高められ、全体として高い耐風性能が得られる。また、上記第２係合部は、前記瓦の尻部の上に前記瓦の頭部が重ねられたときにその頭部の裏面側に設けられた第１係合部と左右方向において係合するように前記尻部に設けられた第２係合面を有し、且つ該左右方向の断面においてＬ字形状に形成されているのに加えて、上下方向の断面においてもＬ字形状に形成されているので、第２係合部の強度が一層高められてその割れや破損が防止される利点がある。
【０００７】
また、本発明によれば、下流側に配置された屋根瓦の尻部に設けられた第２係合部に、屋根瓦の裏面であってその頭部に対応する位置に突設された第１係合部が左右方向に係合させられることから、上下方向すなわち雨水の流れ方向に隣接する屋根瓦の相互位置が少々ずれたとしても係合可能であって屋根瓦の相互配置の自由度が高められるので、屋根葺き工事の施工が容易となる。
【０００８】
【発明の他の態様】
ここで、好適には、前記頭部の裏面側に設けられた第１係合部は、前記屋根瓦の裏面から厚み方向に突き出しかつ所定位置から襟部側へＬ字形状に曲げられて形成され、該Ｌ字形状の内側に第１係合面を備えたものであり、前記尻部の表面に設けられた第２係合部は、その襟部側とは反対側すなわち桟部側へＬ字形状に曲げられて形成され、他の瓦の第１係合面に対して所定間隔を隔て対向するように該Ｌ字形状の内側に第２係合面を備えたものである。このようにすれば、上下方向や左右方向に隣接する屋根瓦の係合関係を維持しつつ相互の位置関係が所定範囲で相対的に移動可能となるので、一層屋根瓦の相互配置の自由度が高められて、屋根葺き工事の施工が容易となる。
【０００９】
また、好適には、頭部の裏面側に設けられた第１係合突起と尻部の表面に設けられた第２係合突起とは、それらの第１係合面と第２係合面とが互いに対向させられた状態で係合状態とされる。このようにすれば、相互に略面接触状態で係合することが可能となり、応力集中が分散されて第１係合突起および第２係合突起の割れや破損が防止される利点がある。
【００１１】
また、好適には、前記第１係合部は、前記頭部の裏面側において左右方向の中央部から突設されたものであり、前記第２係合部は前記尻部の桟部側端縁に突設された状態で形成されたものである。このようにすれば、上下方向において隣接する屋根瓦が左右方向において約半幅（半ピッチ）ずつ交互にずらされて配列される所謂千鳥葺きにおいて、耐風性が好適に得られる。
【００１２】
また、好適には、前記第１係合部は、前記頭部の裏面側において左右方向の中央部から突設されたものであり、前記第２係合部は、屋根瓦の尻部であって左右（幅）方向の中央部に設けられる。このようにすれば、この第２係合部と、前記屋根瓦の裏面であってその頭部の左右（幅）方向の中央部に対応する位置に突設された第１係合部とを併せて備えることにより、屋根瓦が横（水平）方向および縦（上下）方向においてそれぞれ１直線に沿って配列される葺き方において、前記効果が好適に得られる。
【００１３】
【発明の好適な実施の形態】
以下、本発明の一実施例を図面に基づいて詳細に説明する。図１は本発明の１実施例の屋根瓦である平判瓦１０の正面すなわち表面を示す図であり、図２はその平判瓦１０の一部を切り欠いた側面図、図３はその平判瓦１０の横断面図である。
【００１４】
図１、図２、および図３において、平判瓦１０は、窯業原料である所定の粘土からプレス成形および焼成された陶器或いはセラミックス製であって、略平坦な矩形板状を成す平判部１２と、その平判部１２の左右方向すなわち幅方向の両側部のうちの一方（本実施例では図１の左側）に設けられて隣接する他の平判瓦の下に差し入れられる襟部１４と、その平判部１２の両側部のうちの他方（本実施例では図１の右側）に設けられて隣接する平判瓦の襟部１４の上に重ねられる桟部１６と、平判部１２の上流側端部に設けられて上流側に隣接する平判瓦の下に差し入れられる尻部１８と、平判部１２の下流側端部に設けられて下流側に隣接する平判瓦の尻部１８の上に重ねられる頭部２０と、平判部１２の裏面から横方向に所定の間隔を隔て且つ縦方向すなわち襟部１４或いは桟部１６に平行な方向に連なるように厚み方向の裏側へ突設された一定高さの４本の補強用のリブ２２とを備えている。上記襟部１４、桟部１６、尻部１８、頭部２０はそれぞれ平判瓦１０の４辺に沿った比較的細長い領域を示している。
【００１５】
上記襟部１４は、図１または図３において４本のうちの最も左外側に位置するリブ２２よりもさらに外側の部分であって、平判瓦１０のリブ２２の先端と面一の裏面とその平判瓦１０の高さに対して１／２乃至１／３程度の厚みとを有し、幅方向の中央部が薄く且つ端縁部が厚く形成されることにより、横方向に隣接する平判瓦１０の間に落ち込んだ雨水を受けて下流側へ導く溝２４として機能している。上記桟部１６は、図１または図３において４本のうちの最も右外側に位置するリブ２２よりもさらに外側の部分であって、平判瓦１０の表面と面一の表面とその平判瓦１０の高さに対して１／２乃至１／３程度の厚みとを有し、横方向に隣接する平判瓦１０の襟部１４を覆うと同時にその平判瓦１０の平判部１２に近接して雨水の落ち込みを可及的に少なくするように機能している。
【００１６】
また、上記頭部２０は、図２に示すように、下流側に隣接する平判瓦１０の尻部１８の上に重ねられたとき、頭部２０の端縁から尻部１８の表面に向かって垂れ下がる垂下部２８を備えている。この垂下部２８の高さすなわち厚みは、前記リブ２２の高さよりも僅かに高く形成されている。また、上記尻部１８には、横木または桟に引っかけるための１対の引掛突起３０が、リブ２２と同じ突き出し方向すなわち尻部１８の裏面から野地板へ向かう方向へ突設されている。
【００１７】
そして、上記平判瓦１０には、下流側の他の平判瓦１０の尻部１８の上にその頭部２０が重ねられたときその頭部２０の瓦の厚み方向の離反を阻止するためにその平判瓦１０の裏面であって頭部２０の中央部に対応する位置に前記垂下部２８と同等以下の高さとなるように突設された第１係合突起３４と、その尻部１８の上に上流側の他の平判瓦１０の頭部２０が重ねられたときにその第１係合突起３４と平判瓦１０の厚み方向に離反しないように係合するようにその尻部１８の表面であって桟部１６側端縁に設けられた第２係合突起３６とが設けられている。本実施例では、上記第１係合突起３４および第２係合突起３６が第１係合部および第２係合部に対応している。
【００１８】
上記第１係合突起３４は、平判瓦１０の裏面からその厚み方向に所定距離突き出し、かつ所定位置から襟部１４側へＬ字形状に曲げられて形成され、そのＬ字形状の内側に第１係合面３８を備えたものであり、尻部１８の表面に設けられた第２係合突起３６は、その襟部１６側とは反対側すなわち桟部１６側へＬ字形状に曲げられて形成され、他の瓦の第１係合面３８に対して所定間隔を隔て対向するように該Ｌ字形状の内側に第２係合面４０を備えている。これにより、第１係合突起３４と第２係合突起３６とが、平判瓦１０の左右方向すなわち幅方向（雨水の流れに直交する方向）において、相互に係合させられるようになっている。
【００１９】
以上のように構成された平判瓦１０は、たとえば図１の１点鎖線に示すように千鳥配置されるとき、所定の平判瓦１０の第１係合突起３４の第１係合面３８とそれよりも下流側の平判瓦１０の第２係合突起３６の第２係合面４０とが面接触状態或いは数ｍｍ乃至十ｍｍ程度の所定のわずかな間隙を隔てた状態で対向させられ、たとえば図４の断面図に示されるように、第１係合突起３４と第２係合突起３６とが係合状態とされる。これにより、上記所定の平判瓦１０が強風によりその頭部２０側からめくれようとしたときには、その第１係合突起３４と第２係合突起３６との係合によってそのめくれが阻止され、屋根上の平判瓦１０の耐風性能が高められるようになっている。また、このような第１係合突起３４と第２係合突起３６との左右方向の係合は、係合状態をそれほど変化させないで、上下方向に隣接する平判瓦１０相互の少なくとも上下方向の相対移動が許容される。
【００２０】
以上のように構成された平判瓦１０は、傾斜した野地板上に固定される。すなわち、所定位置の平判瓦１０は、その掛止突起３０が水平方向に固定された桟に引掛けられ、且つその第１係合突起３４の第１係合面３８がすでにその下流側に固定された平判瓦１０の第２係合突起３６の第２係合面４０と相互に対向して係合状態となるように配置された後、その尻部１８に設けられた１対の取付穴５０を通した１対の釘で桟（横木）および野地板に固定される。
【００２１】
上述のように、本実施例によれば、傾斜した野地板４４上において、下流側に配置された平判瓦１０の尻部１８の表面に設けられた第２係合突起３６に、平判瓦１０の裏面であってその頭部２０の中央部に対応する位置に突設された第１係合突起３４が左右方向においてすなわち横方向において係合するようにその平判瓦１０の上流側に隣接する他の平判瓦１０が配置されることから、その上流側に隣接する平判瓦１０は、その尻部１８を野地板４４に止める２本の釘５２と上記平判瓦１０の裏面であってその頭部２０の中央部に対応する位置に突設された第１係合突起３４とによって固定されるので、全体として高い耐風性能が得られる。
【００２２】
また、本実施例によれば、下流側に配置された屋根瓦１０の尻部１８に設けられた第２係合突起３６に、屋根瓦１０の裏面であってその頭部２０に対応する位置に突設された第１係合突起３４が左右方向に係合させられることから、上下方向すなわち雨水の流れ方向に隣接する屋根瓦１０の相互位置が少々ずれたとしても係合可能であって屋根瓦１０の相互配置の自由度が高められるので、屋根葺き工事の施工が容易となる。
【００２３】
また、本実施例によれば、前記頭部２０の裏面側に設けられた第１係合突起３４は、屋根瓦１０の裏面から厚み方向に突き出しかつ所定位置から襟部１４側へＬ字形状に曲げられて形成され、そのＬ字形状の内側に第１係合面３８を備えたものであり、尻部１８の表面に設けられた第２係合突起３６は、その襟部１４側とは反対側すなわち桟部１６側へＬ字形状に曲げられて形成され、他の瓦１０の第１係合面３８に対して所定間隔を隔て対向するようにＬ字形状の内側に第２係合面４０を備えたものであることから、上下方向や左右方向に隣接する屋根瓦１０の係合関係を維持しつつ相互の位置関係が所定範囲で相対的に移動可能となるので、一層屋根瓦１０の相互配置の自由度が高められて、屋根葺き工事の施工が容易となる。
【００２４】
また、本実施例によれば、前記第１係合突起３４は、頭部２０の裏面側において左右方向の中央部から突設されたものであり、第２係合突起３６は尻部１８の桟部側端縁に突設された状態で形成されたものであることから、上下方向において隣接する屋根瓦１０が左右方向において約半幅（半ピッチ）ずつ交互にずらされて配列される所謂千鳥葺きにおいて、耐風性が好適に得られる。
【００２５】
また、本実施例によれば、頭部２０の裏面側に設けられた第１係合突起３４と尻部１８の表面に設けられた第２係合突起３６とは、それらの第１係合面３８と第２係合面４０とが互いに対向させられた状態で係合状態とされるので、相互に略面接触状態で係合することが可能となり、応力集中が分散されて割れや破損が防止される利点がある。
【００２６】
また、本実施例によれば、尻部１８の表面に設けられた第２係合突起３６は、図１のＩＶ−ＩＶ  視断面である図４に示すように、左右方向の断面においてＬ字形状に形成されているのに加えて、図２に示すように上下方向の断面においてもＬ字形状に形成されているので、第２係合突起３６の強度が高められてその割れや破損が防止される利点がある。
【００２７】
以上、本発明の実施例を図面に基づいて詳細に説明したが、これらはあくまでも一実施形態であり、本発明は当業者の知識に基づいて種々の変更，改良を加えた態様で実施することができる。
【００２８】
たとえば、前述の実施例において、前記第１係合突起３４および第２係合突起３６の位置や形状については、左右方向において係合できる範囲で変更或いは変形され得る。たとえば、第１係合突起３４は襟部１４側へ斜めに突き出すように形成され、第２係合突起３６も斜めに突き出すように形成されていてもよい。
【００２９】
また、前記第２係合突起３６は、平判瓦１０の尻部１８の表面であってその尻部１８と桟部１６との間の角に設けられていたが、尻部１８の中央に設けられていてもよい。このような場合には、第１係合突起３４および第２係合突起３６が頭部２０および尻部１８の幅方向の中央部に備えられることになるので、平判瓦１０が横（水平）方向および縦（上下）方向においてそれぞれ１直線に沿って配列される葺き方においても、前記と同様の効果が好適に得られる。また、上記第１係合突起３４および第２係合突起３６は平判瓦１０の形状に従って、その突き出し量が僅かなものになる場合もある。
【００３０】
また、前記第１係合突起３４は頭部２０の裏面側において左右方向の中央部から突設され、第２係合突起３６も尻部１８であって左右（幅）方向の中央部に設けられてもよい。この場合、第２係合突起３６と、屋根瓦１０の裏面であってその頭部２０の左右（幅）方向の中央部に対応する位置に突設された第１係合突起３４とを併せて備えることにより、屋根瓦１０が横（水平）方向および縦（上下）方向においてそれぞれ１直線に沿って配列される葺き方において、前記効果が好適に得られる。
【００３１】
また、前述の実施例の平判瓦１０において、平判部１２は略平坦な矩形板状であったが、たとえば和瓦のように所定の曲率で湾曲させられたものであってもよい。また、平判部１２が桟部１６よりも低くデザインされたり、凸条や凹凸模様が設けられたものであってもよい。すなわち、平坦な平判部１２を有する平判瓦１０や凹状に緩やかに湾曲した中央部を有する和瓦だけでなく、中央部に上流側から下流側へ連なる単数または複数の凸条が形成された波形瓦、或いはＳ字瓦、逆Ｗ字瓦などであってもよい。要するに、野地板の所定面積を覆うために一部が重ねて配置される屋根瓦であれば本発明が適用され得る。
【００３２】
また、前述の実施例の平判瓦１０は、陶器などのセラミックス材料製であったが、金属、セメント、プラスチック、或いは複合材などの材料により構成されてもよい。
【００３３】
また、前述の実施例の平判瓦１０において、第１係合突起３４および第２係合突起３６は、頭部２０および尻部１８においてそれぞれ１個だけ設けられていたが、頭部２０および尻部１８においてそれぞれ２個以上ずつ設けられていても差し支えない。
【００３４】
また、前述の第１係合面３８および第２係合面４０は、相互に略面接触する対向面であったが、斜面或いは段付面などであっても差し支えない。
【００３５】
また、前述の実施例の平板瓦１０において、その尻部１８の襟部１４側端部に、例えば図１の破線に示すように、第１係合突起３４との干渉を防止するための凹陥部５２が形成されてもよい。このようにすれば、特に、中央部が凸面である瓦に有効である。
【００３６】
なお、上述したのはあくまでも本発明の一実施例であり、本発明はその他の態様においても適用されるものである。
【図面の簡単な説明】
【図１】本発明の一実施例の平判瓦を示す正面図である。
【図２】図１の実施例の平判瓦を示す側面図である。
【図３】図１の実施例の平判瓦を示す断面図であって、図１のＩＩＩ−ＩＩＩ  視図である。
【図４】図１の実施例の平判瓦の第１係合突起および第２係合突起の相互の係合状態を示す図１のＩＶ−ＩＶ  視断面図である。
【符号の説明】
１０：平判瓦（屋根瓦）
１４：襟部
１６：桟部
１８：尻部
２０：頭部
３４：第１係合突起（第１係合部）
３６：第２係合突起（第２係合部）
３８：第１係合面
４０：第２係合面
【図１】
0003548544.tif 000002
【図２】
0003548544.tif 000003
【図３】
0003548544.tif 000004
【図４】
0003548544.tif 000005